(57)【要約】【課題】本発明は、配管のロウ付け接続の際に閉鎖弁に与える熱影響を小さくすることが可能な配管ロウ付け構造を提供することを目的とする。【解決手段】空調用の室内機Ｙと室外機Ｘとの間を、連絡配管により接続するために前記室外機Ｘに設けられた配管ロウ付け構造１である。そして、前記室外機Ｘから延びる補助配管２と、当該補助配管２の延出方向における端部を拡径して形成されたロウ付け部２１ａと、前記補助配管２に設けられ、前記室外機Ｘが備える熱交換器１１への流路を遮断可能な閉鎖弁２０と、を備えている。前記補助配管２は、前記ロウ付け部２１ａと前記閉鎖弁２０との間の配管経路に設けられ、前記ロウ付け部２１ａに与えられた熱を放熱する放熱部を有する。【選択図】図２
2008224048.tif 000002
【特許請求の範囲】
【請求項１】
空調用の室内機（Ｙ）と室外機（Ｘ）との間を、連絡配管により接続するために前記室外機に設けられた配管ロウ付け構造（１）であって、
前記室外機から延びる補助配管（２）と、
当該補助配管の延出方向における端部を拡径して形成されたロウ付け部（２１ａ）と、
前記補助配管に設けられ、前記室外機が備える熱交換器への流路を遮断可能な閉鎖弁（２０）と、を備え、
前記補助配管は、前記ロウ付け部と前記閉鎖弁との間の配管経路に設けられ、前記ロウ付け部に与えられた熱を放熱する放熱部を有することを特徴とする配管ロウ付け構造。
【請求項２】
前記補助配管（２）は、前記室外機から延びる配管から分岐した複数の分岐配管（２１、２２）を有し、
前記ロウ付け部（２１ａ）は、当該複数の分岐配管における端部に形成されていることを特徴とする請求項１に記載の配管ロウ付け構造。
【請求項３】
前記閉鎖弁（２０）は、前記補助配管（２）における分岐前の配管に一つ設けられていることを特徴とする請求項２に記載の配管ロウ付け構造。
【請求項４】
前記放熱部は、前記ロウ付け部（２１ａ）から前記閉鎖弁（２０）までの配管を迂曲させることにより構成されていることを特徴とする請求項１〜３のいずれか１項に記載の配管ロウ付け構造。
【発明の詳細な説明】
【技術分野】
【０００１】
本発明は、空調用の室内機と室外機との間を、連絡配管により接続するために室外機に設けられた配管ロウ付け構造に関する。
【背景技術】
【０００２】
従来、空調用の室内機と室外機との間を接続する配管構造として、例えば、特許文献１に記載された配管接続構造が知られている。この配管接続構造は、特許文献１における図１に記載されているように、室外機１００側に室内機２００側からの配管を接続する液管接続ポート１１４及びガス管接続ポート１１５を備え、液管接続ポート１１４よりも熱交換器１０３の側において液管閉止弁１１６が配置され、同様に、ガス管接続ポート１１５よりも熱交換器１０３の側においてガス管閉止弁１１７が配置されたものである。
【０００３】
この接続ポート１１４・１１５に対して室内機２００側から延びる配管を接続する場合、接続部から冷媒が漏れることを確実に防止するために、配管の接続部をロウ付けすることが考えられる。
【０００４】
【特許文献１】特開平２００２−２２３１４号公報
【発明の開示】
【発明が解決しようとする課題】
【０００５】
しかしながら、特許文献１に記載の配管構造においては、ロウ付けのため接続ポート１１４・１１５及びその近傍部分を加熱すると、熱が閉止弁１１６・１１７に容易に伝わり、閉止弁１１６で使用されるＯリング等のゴム状部材や、プラスチックなどが熱変形してしまい、閉止弁（閉鎖弁）の機能を著しく阻害してしまう虞がある。
【０００６】
本発明は、上記実情に鑑みることにより、配管のロウ付け接続の際に閉鎖弁に与える熱影響を小さくすることが可能な配管ロウ付け構造を提供することを目的とする。
【課題を解決するための手段】
【０００７】
第１の発明に係る配管ロウ付け構造は、空調用の室内機と室外機との間を、連絡配管により接続するために前記室外機に設けられた配管ロウ付け構造であって、前記室外機から延びる補助配管と、当該補助配管の延出方向における端部を拡径して形成されたロウ付け部と、前記補助配管に設けられ、前記室外機が備える熱交換器への流路を遮断可能な閉鎖弁と、を備え、前記補助配管は、前記ロウ付け部と前記閉鎖弁との間の配管経路に設けられ、前記ロウ付け部に与えられた熱を放熱する放熱部を有することである。
【０００８】
この配管ロウ付け構造では、室外機から延びる補助配管の端部が拡径してロウ付け部が形成されているため、連絡配管を挿入しやすく、ロウ付け接続時の作業性を向上することが可能となる。ロウ付け部と閉鎖弁との間に放熱部が介在しているため、ロウ付け時においてロウ付け部に与えられた熱は、当該放熱部を通過して閉鎖弁に伝わることになる。これにより、ロウ付けに要する熱が放熱部で放熱されるため、配管のロウ付け接続の際に閉鎖弁に与える熱影響を小さくすることが可能となる。
【０００９】
第２の発明に係る配管ロウ付け構造は、第１の発明に係る配管ロウ付け構造において、前記補助配管は、前記室外機から延びる配管から分岐した複数の分岐配管を有し、前記ロウ付け部は、当該複数の分岐配管における端部に形成されていることである。
【００１０】
この配管ロウ付け構造では、配管のロウ付け接続の際に閉鎖弁に与える熱影響を小さくできるとともに、分岐配管の本数に対応して、室外機側の一の熱交換器に対して室内機側の複数の熱交換器を接続することが可能となる。
【００１１】
第３の発明に係る配管ロウ付け構造は、第１又は第２の発明に係る配管ロウ付け構造において、前記閉鎖弁は、前記補助配管における分岐前の配管に一つ設けられていることである。
【００１２】
この配管ロウ付け構造では、ロウ付け部に与えられた熱は、分岐配管を伝わって分岐前の配管に設けられた閉鎖弁に伝わることになる。通常、複数の分岐配管を有する場合でも、一本ずつ順番に連絡配管とロウ付け接続されることになる。このとき一のロウ付け部に与えられる熱は、閉鎖弁に向かって分岐配管及び分岐前の配管を伝導していくとともに、配管の分岐点においては、複数に分岐した他の分岐配管の延出方向へも伝達していくことになる。これにより、一のロウ付け部に与えられた熱が分散し易くなり、閉鎖弁に伝達される熱量をより小さくすることができる。また、一の閉鎖弁の開閉により全ての分岐配管の開閉を同時に行うことができるため作業時間を短縮することができるとともに、閉鎖弁の設置数を減らすことができ、安価な構成とすることが可能である。
【００１３】
第４の発明に係る配管ロウ付け構造は、第１の発明に係る配管ロウ付け構造において、前記放熱部は、前記ロウ付け部から前記閉鎖弁までの配管を迂曲させることにより構成されていることである。
【００１４】
この配管ロウ付け構造では、ロウ付け部から閉鎖弁までの配管が、最短経路となる一直線状に形成されておらず、部分的に屈曲して迂回するように形成されている。この場合、ロウ付け部から閉鎖弁までの配管経路がより長くなりロウ付け部と閉鎖弁との間の配管の表面積が増加する。これにより、ロウ付け部に与えられた熱が、ロウ付け部から閉鎖弁までの配管経路において放熱し易くなり、ロウ付けにより閉鎖弁に与える熱影響をより小さくすることが可能となる。
【発明の効果】
【００１５】
以上の説明に述べたように、本発明によれば、以下の効果が得られる。
第１の発明では、ロウ付け部と閉鎖弁との間に放熱部が介在しているため、ロウ付け時においてロウ付け部に与えられた熱は、当該放熱部を通過して閉鎖弁に伝わることになる。これにより、ロウ付けに要する熱が放熱部で放熱されるため、配管のロウ付け接続の際に閉鎖弁に与える熱影響を小さくすることが可能となる。
【００１６】
第２の発明では、分岐配管の本数に対応して、室外機側の一の熱交換器に対して室内機側の複数の熱交換器を接続することが可能となる。
【００１７】
第３の発明では、一のロウ付け部に与えられた熱が分散し易くなり、閉鎖弁に伝達される熱量をより小さくすることができる。
【００１８】
第４の発明では、ロウ付け部に与えられた熱が、ロウ付け部から閉鎖弁までの配管経路において放熱し易くなり、ロウ付けにより閉鎖弁に与える熱影響をより小さくすることが可能となる。
【００１９】
第５の発明では、配管表面が外気に触れやすくロウ付け時においてロウ付け部に与えられた熱の放熱を促進することが可能となる。
【発明を実施するための最良の形態】
【００２０】
以下、本発明を実施するための最良の形態について図面を参照しつつ説明する。
【００２１】
図１は、本発明の配管ロウ付け構造１を有する多室用の空気調和機１００の冷媒回路を示す図である。この空気調和機１００は、室外ユニットＸと室内ユニットＹとが連絡配管５１〜５４を介して接続されたものである。
【００２２】
室外ユニットＸは、圧縮能力可変型の圧縮機１０と、室外熱交換器１１と、を備えている。圧縮機１０の吐出配管１０ａと吸込配管１０ｂとは四路切替弁１２を介して、冷媒配管１３と冷媒配管１４と、に接続している。また、吸込配管１０ｂにはアキュムレータ３０が介設されている。
【００２３】
冷媒配管１３は、室外熱交換器１１、閉鎖弁１５、が圧縮機１０側から順次介設されており、配管経路における閉鎖弁１５よりも室内ユニットＹに近い位置において、分岐配管１６と分岐配管１７とに分岐している。分岐配管１６・１７には、それぞれ、電動膨張弁１８・１９が設置されている。尚、後述するように、分岐配管１６・１７における室内ユニットＹ側の連絡配管５１・５２と接続する端部は、配管が拡径するように形成されており（図２における拡径部１６ａ・１７ａ参照）、室内ユニットＹと接続するための連絡配管５１・５２が挿入されてロウ付けにより接続される。
【００２４】
冷媒配管１４には、閉鎖弁２０が介設されており、配管経路における閉鎖弁２０よりも室内ユニットＹに近い位置において、分岐配管２１と分岐配管２２とに分岐している。分岐配管２１・２２は、室内ユニットＹ側から延びる連絡配管と接続する端部において配管が拡径して形成された拡径部２１ａ・２２ａを備えており、室内ユニットＹと接続するための連絡配管５３・５４が挿入されてロウ付けにより接続される。
【００２５】
室内ユニットＹは、２台の室内熱交換器４１・４２を備えている。当該室内熱交換器４１・４２は、冷媒配管４３・４４にそれぞれ介設されている。冷媒配管４３は、両端部にそれぞれ、配管が拡径するように形成された拡径部４３ａと拡径部４３ｂとを備えている。また、冷媒配管４４の両端にも同様に拡径部４４ａと拡径部４４ｂとが形成されている。そして、冷媒配管４３の一端の拡径部４３ａは、室外ユニットＸの分岐配管１６の拡径部１６ａと連絡配管５１を介して接続され、他端の拡径部４３ｂは、室外ユニットＸの分岐配管２１の拡径部２１ａと連絡配管５３を介して接続される。また、冷媒配管４４の一端の拡径部４４ａは、室外ユニットＸの分岐配管１７の拡径部１７ａと連絡配管５２を介して接続され、他端の拡径部４４ｂは、室外ユニットＸの分岐配管２２の拡径部２２ａと連絡配管５４を介して接続される。
【００２６】
空気調和機１００の冷媒回路は上記のように構成されており、圧縮機１０を駆動することで配管内の冷媒を室内ユニットＹと室外ユニットＸとの間で循環させ、電動膨張弁１８・１９を適宜調整することにより、冷房又は暖房の機能を発揮することが可能となる。尚、冷房・暖房の切換は四路切換弁１２の切り換えにより行われる。
【００２７】
次に、本発明の配管ロウ付け構造１を備える室外ユニットＸから延びる配管部分（補助配管）の具体的な構成について図２を用いて説明する。図２は、室外ユニットＸの外観斜視図である。尚、図２は、室外ユニットＸに対して連絡配管５１〜５４をロウ付け接続する前の状態を示しており、連絡配管５１〜５４との接続部近傍の配管構造を説明するため、室外ユニットＸの周囲を覆うケーシング６０を一部取り除いた構成を示している。
【００２８】
室外ユニットＸは、ケーシング６０（ケース部材）に周囲四面、上面、及び底面を覆われた略直方体形状に形成されている。ケーシング６０には、側板６１がケーシング６０の底面と略垂直な面をなすように当該ケーシング６０に固定されている。これにより側板６１は、ケーシング６０内の空間を、室外熱交換器１１（図１参照）等が配置される側と、連絡配管を接続する冷媒配管の端部１６ａ、１７ａ、２１ａ、２２ａ側と、を部分的に区画している。そして、冷媒配管１３・１４は、当該側板６１における上端部に近い位置を、当該側板６１と略直交するように貫通した状態で、側板６１に対してねじ等の固定具により配置位置を固定されている。閉鎖弁１５・２０は、側板６１を挟んで室外熱交換器１１と逆側に配置されており、当該側板６１における当該冷媒配管１３・１４の貫通位置近傍に設置されている。したがって、側板６１を取り外すことなく外部から開閉することが可能となっている。また、閉鎖弁１５、２０は、ケーシング６０の上面に近い位置に配置されているため、開閉操作を容易に行うことが可能となっている。
【００２９】
冷媒配管１４は、側板６１の表面と略垂直方向に当該側板６１に貫通して延出した後、閉鎖弁２０を介して下方に延びている。そして、冷媒配管１４は、冷媒配管１３の側板６１の貫通位置と略同じ高さまで下方に向かって延びた後、側板６１の表面と略垂直方向に延びるように屈曲し、ケーシング６０の角部６０ａに近づくように延びている。そして当該角部６０ａ近傍において、更に下方に向かうように屈曲し、地面に近い高さまで下方に延出した位置において、Ｕ字状に屈曲し、逆に上方に向かってケーシング６０の角部６０ａに沿って延びている。冷媒配管１４は、上方に延びる配管部１４ａの途中で、閉鎖弁２０よりも低い位置において分岐配管２１と分岐配管２２とに分岐する。
【００３０】
分岐配管２１は、分岐点から略水平方向にケーシング６０の側面に沿って延びており、延出方向の端部において拡径して形成された拡径部２１ａ（ロウ付け部）を備えている。当該拡径部２１ａに連絡配管５３の端部を挿入してロウ付けすることにより、分岐配管２１と連絡配管５３とが接続される。分岐配管２２は、分岐点から分岐配管２１と平行に延びており、延出方向の端部には拡径部２２ａが形成され、ロウ付けにより連絡配管５４に接続される。このように、冷媒配管１４の一部と分岐配管２１・２２とにより室外ユニットＸから延びる補助配管２が構成されている。
【００３１】
冷媒配管１３は、側板６１の表面と略垂直方向に当該側板６１に貫通して延出した後、閉鎖弁１５を介して下方に延びている。そして、冷媒配管１３は、冷媒配管１４の最下端部よりも地面に近い高さまで下方に延出した位置において、Ｕ字状に屈曲し、逆に上方に向かって延びている。冷媒配管１３は、上方に延びる配管部１３ａにおいて閉鎖弁１５よりも低い位置において、分岐配管１６と分岐配管１７とに分岐する。
【００３２】
分岐配管１６は、分岐位置から電動膨張弁１８に連通するまで略Ｕ字状に屈曲して形成されており、電動膨張弁１８の位置から端部までは、分岐配管２１と略平行に延びている。電動膨張弁１８は、側板６１に対して図示しない固定部材により固定されている。分岐配管１６は、延出方向の端部において拡径するように形成された拡径部１６ａを備えており、当該拡径部１６ａに連絡配管５１の端部を挿入してロウ付けすることにより、分岐配管１６と連絡配管５１とが接続される。分岐配管１７は、分岐配管１６と略同形状に形成され、側板６１に対して図示しない固定部材により固定された電動膨張弁１９が介設されている。そして、分岐配管１７の端部には拡径部１７ａが形成されており、ロウ付けにより連絡配管５２に接続される。このように、冷媒配管１３の一部と分岐配管１６・１７とにより室外ユニットＸから延びる補助配管３が構成されている。
【００３３】
次に、連絡配管を分岐配管の拡径部に挿入してロウ付けする際の、閉鎖弁１５及び閉鎖弁２０が受ける熱影響について、分岐配管２１の端部の拡径部２１ａに連絡配管５３を接続する場合を例に挙げて説明する。
【００３４】
拡径部２１ａに連絡配管５３をロウ付け接続する場合、拡径部２１ａに大量に熱が供給されることになる。このとき、拡径部２１ａに供給された熱は、拡径部２１ａから閉鎖弁２０までの配管部分の熱伝導によって閉鎖弁２０まで伝導することになる。本実施形態においては、当該配管部分は、拡径部２１ａから閉鎖弁２０までを一直線に結ぶものではなく、少なくとも一部において配管を屈曲させて形成されている。即ち、当該配管部分は、拡径部２１ａから閉鎖弁２０までの最短経路を通らないように迂曲している。この場合、拡径部２１ａから閉鎖弁２０までの配管経路がより長くなり拡径部２１ａと閉鎖弁２０との間の配管の表面積が増加する。これにより、拡径部２１ａに与えられた熱が、拡径部２１ａから閉鎖弁２０までの配管経路において放熱され易くなり、拡径部２１ａへのロウ付けにより閉鎖弁２０に与える熱影響をより小さくすることが可能となる。即ち、拡径部２１ａから閉鎖弁２０までの配管部分が拡径部２１ａに与えられた熱を放熱する放熱部としての役割を果たすことになる。同様に、分岐配管２２の拡径部２２ａへのロウ付けを行う場合も、拡径部２２ａから閉鎖弁２０までの配管部分が放熱部としての役割を果たすことになる。
【００３５】
また、閉鎖弁２０は、冷媒配管１４の分岐前の位置に設けられているため、分岐配管２１の拡径部２１ａに供給された熱は、拡径部２１ａ側から冷媒配管１４と分岐配管２２との分岐点まで伝導した後、閉鎖弁２０側に伝わる配管経路と、他の分岐配管２２の端部２２ａ側に伝わる配管経路との２方向に分かれて伝導することになる。これにより、拡径部２１ａに与えられた熱が分散し、閉鎖弁２０に伝わる熱量をより小さくすることができる。
【００３６】
分岐配管２２の拡径部２２ａに、連絡配管５４をロウ付け接続する場合においても、同様の作用により、閉鎖弁２０に伝わる熱量をより小さくすることが可能となる。また、冷媒配管１３から分岐する分岐配管１６及び分岐配管１７の端部の拡径部１６ａ及び１７ａに対して、連絡配管５１及び５２をロウ付け接続する場合においても同様の作用により閉鎖弁１５に伝わる熱量を小さくすることができる。尚、閉鎖弁１５に対しては、拡径部１６ａ・１７ａから閉鎖弁１５までの配管経路には、電動膨張弁１８・１９が介設されている。そのため、当該電動膨張弁１８・１９の位置において、拡径部１６ａ・１７ａから伝わってきた熱が、当該電動膨張弁の固定部材を介して側板６１に分散されるため、閉鎖弁１５に伝わる熱量をより小さくすることが可能となる。
【００３７】
以上説明したように、本実施形態に係る配管ロウ付け構造１は、空調用の室内ユニットＹと室外ユニットＸとの間を、連絡配管５３・５４により接続するために前記室外ユニットＸに設けられた構造である。そして、前記室外ユニットＸから延びる補助配管２（冷媒配管１４及び分岐配管２１・２２）と、当該分岐配管２１の延出方向における端部を拡径して形成された拡径部２１ａ・２２ａと、前記冷媒配管１４に設けられ、前記室外ユニットＸが備える熱交換器１１への流路を遮断可能な閉鎖弁２０と、を備え、前記補助配管２は、前記拡径部２１ａ・２２ａと前記閉鎖弁２０との間の配管経路に設けられ、前記拡径部２１ａ・２２ａに与えられた熱を放熱する放熱部を有している。
【００３８】
この配管ロウ付け構造１では、室外ユニットＸから延びる分岐配管２１・２２の端部が拡径して拡径部２１ａ・２２ａが形成されているため、連絡配管５３・５４を挿入しやすく、ロウ付け接続時の作業性を向上することが可能となる。拡径部２１ａ・２２ａと閉鎖弁２０との間には、放熱部が介在しているため、ロウ付け時において拡径部２１ａ・２２ａに与えられた熱は、当該放熱部を通過して閉鎖弁２０に伝わることになる。これにより、ロウ付けに要する熱が放熱部で放熱されるため、配管のロウ付け接続の際に閉鎖弁２０に与える熱影響を小さくすることが可能となる。尚、放熱部は、ロウ付け時において当該拡径部２１ａ・２２ａと閉鎖弁２０との間の配管を伝わる熱を、閉鎖弁２０の機能を妨げない程度に放熱することが可能な放熱部として形成されている。特に、閉鎖弁２０はＯリング等のゴム状部材を備えている場合が多く、この場合、拡径部２１ａ・２２ａにロウ付けに要する所定量の熱を供給したときに、閉鎖弁２０の温度が、当該ゴム状部材の融点を超える温度まで上昇しない程度に、放熱できる放熱部とすることが望ましい。
【００３９】
また、熱交換器１１から延びる冷媒配管１４から、二つの分岐配管（分岐配管２１と分岐配管２２）に分岐しており、当該二つの分岐配管における端部に拡径部２１ａと拡径部２２ａとが形成されている。この構成によると、配管のロウ付け接続の際に閉鎖弁２０に与える熱影響を小さくできるとともに、室外ユニットＸの室外熱交換器１１に対して、分岐配管の本数に対応した複数の室内熱交換器４１・４２を接続することが可能となる。
【００４０】
また、閉鎖弁２０は、補助配管２における分岐前の配管である冷媒配管１４に一つ設けられている。この構成によると、拡径部２１ａ・２２ａに与えられた熱は、分岐配管２１・２２を伝わって分岐前の配管である冷媒配管１４に設けられた閉鎖弁２０に伝わることになる。通常、複数の分岐配管を有する場合でも、一本ずつ順番に連絡配管とロウ付け接続されることになる。このとき一の拡径部２１ａに与えられる熱は、閉鎖弁２０に向かって分岐配管２１及び分岐前の配管である冷媒配管１４を伝導していくとともに、冷媒配管１４から分岐配管２２への分岐点においては、他の分岐配管２２の拡径部２２ａに向かう方向へも伝達していくことになる。これにより、一の拡径部２１ａに与えられた熱が分散し易くなり、閉鎖弁２０に伝達される熱量をより小さくすることができる。
【００４１】
また、拡径部２１ａ・２２ａから前記閉鎖弁２０までの配管を迂曲させて構成されている。この構成によると、拡径部２１ａ・２２ａから閉鎖弁２０までの配管が、最短経路となる一直線状に形成されておらず、部分的に屈曲して迂回するように形成されている。この場合、拡径部２１ａ・２２ａから閉鎖弁２０までの配管経路がより長くなり拡径部２１ａ・２２ａと閉鎖弁２０との間の配管の表面積が増加する。これにより、拡径部２１ａ・２２ａに与えられた熱が、拡径部２１ａ・２２ａから閉鎖弁２０までの配管経路において放熱し易くなり、ロウ付けにより閉鎖弁２０に与える熱影響をより小さくすることが可能となる。
【００４２】
また、拡径部２１ａ・２２ａから閉鎖弁２０までの配管の一部（鉛直方向に延びる配管部分１４ａ）は、室外ユニットＸの周囲四面を覆うように配置されたケーシング６０の角部６０ａに沿うように配置されている。
【００４３】
この構成によると、拡径部２１ａ・２２ａと閉鎖弁２０との間の配管部分が、室外ユニットＸの外周端部に配置されるため、配管表面が外気に触れやすくロウ付け時において拡径部２１ａ・２２ａに与えられた熱の放熱を促進することが可能となる。また、ケーシング６０の角部６０ａに沿うように配置されているため、例えば、周囲四面のうちの一面が壁等に対面した状態で室外ユニットＸが配置されている場合においても、配管部分１４ａに触れる外気の流れが遮断されにくく、確実に放熱を行うことが可能である。
【００４４】
以上、本発明の実施形態及びその変形例について説明したが、本発明は上述の実施の形態に限られるものではなく、特許請求の範囲に記載した限りにおいてさらに様々に変更して実施することができるものである。
【００４５】
（１）ロウ付け部から閉鎖弁までの配管経路に設けられる放熱部は、放熱量を増加するために、ロウ付け部から閉鎖弁までの配管の表面に複数の凹凸を形成して配管の表面積を増加させた構成としてもよい。この場合、配管経路を過度に長くすることなく配管表面からの放熱量を増加させることが可能となるため、配管内を通過する冷媒の流路抵抗を小さくすることが可能となる。
【００４６】
（２）ロウ付け部から閉鎖弁までの配管、又は、当該配管の一部に熱伝導率の低い材料を用いた構成としてもよい。尚、ロウ付けに要する熱量をロウ付け部に供給したときに、閉鎖弁の温度が、当該閉鎖弁が備えるゴム状部材の融点を超える温度まで上昇しない程度に、熱伝導率が低い材料を用いることが望ましい。この場合、ロウ付け部から閉鎖弁までの配管を伝わる単位時間当たりの熱量を少なくすることができるため、配管経路を過度に長くすることなく配管表面からの放熱量を増加させることが可能となる。
【００４７】
（３）ロウ付け部から閉鎖弁までの配管の径の少なくとも一部を拡径した構成とすることもできる。この場合、配管経路を長くすることなく配管の表面積を増加させることができるため、冷媒の流路抵抗を増加させることなく配管表面からの放熱を促進することができる。
【産業上の利用可能性】
【００４８】
本発明を利用すれば、配管のロウ付け接続の際に閉鎖弁に与える熱影響を小さくすることができる。
【図面の簡単な説明】
【００４９】
【図１】本発明の配管ロウ付け構造を有する多室用の空気調和機の冷媒回路図である。
【図２】室外ユニットＸの外観斜視図である。
【符号の説明】
【００５０】
１    配管ロウ付け構造
２、３  補助配管
１１  室外熱交換器
１３、１４  冷媒配管
１５、２０  閉鎖弁
１６、１７、２１、２２  分岐配管
１６ａ、１７ａ、２１ａ、２２ａ  拡径部（ロウ付け部）
４１、４２  室内熱交換器
５１〜５４  連絡配管
６０  ケーシング（ケース部材）
６１  側板
１００  空気調和機
Ｘ  室外ユニット（室外機）
Ｙ  室内ユニット（室内機）
【図１】
2008224048.tif 000003
【図２】
2008224048.tif 000004